(57)【要約】【課題】  情報を正確に記録するために正確なクロック信号を再生することが可能な記録装置、記録方法、情報を正確に再生するために正確なクロック信号を再生することが可能な再生装置、再生方法及び記録媒体を提供する。【解決手段】  記録装置１は、光ディスク１０の層（基準面）Ｒに、赤色レーザ光Ｌｒを照射し（ＳＴ５０１）、層（基準面）Ｒでの赤色レーザ光Ｌｒの反射光をフォトディテクタ３５により電気信号に変換し、記録データ出力部１３に出力することができる。このため、赤色レーザ光Ｌｒの層（基準面）Ｒでの反射光は、記録層５１等からの反射光とは別に再生される。この結果、赤色レーザ光Ｌｒの層（基準面）Ｒからの反射光から正確な電気信号をフォトディテクタ３５により生成することができる。従って、正確な電気信号に基づき、位相同期回路４２により情報の記録のために用いられるクロック信号を正確に再生することができる（ＳＴ５０２）。【選択図】図５
2009277310.tif 000002
【特許請求の範囲】
【請求項１】
同期パターンが設けられた第１の層と、情報が記録される第２の層とを有する記録媒体の前記第１の層に第１のレーザ光を照射する第１の照射手段と、
前記第１の層での前記第１のレーザ光の反射光を検出し第１の電気信号に変換する第１の検出手段と、
前記第１の電気信号に基づき、情報の記録のために用いられるクロック信号を再生するクロック再生手段と、
前記クロック再生手段で再生されたクロック信号を用いて、前記記録媒体に情報を記録する情報記録手段と
を具備する記録装置。
【請求項２】
請求項１に記載の記録装置であって、
前記同期パターンが、ピット列である記録装置。
【請求項３】
請求項１に記載の記録装置であって、
前記情報記録手段は、前記第１のレーザ光と波長が異なる第２のレーザ光を用いて前記記録媒体に情報を記録する記録装置。
【請求項４】
請求項１に記載の記録装置であって、
前記第１の層に前記記録媒体のトラック情報、アドレス情報及びコンテンツ情報の少なくとも１つが記録されている記録装置。
【請求項５】
同期パターンが設けられた第１の層と、情報が記録される第２の層とを有する記録媒体の前記第１の層に第１のレーザ光を照射し、
前記第１の層での前記第１のレーザ光の反射光を検出し第１の電気信号に変換し、
前記第１の電気信号に基づき、情報の記録のために用いられるクロック信号を再生し、
前記再生されたクロック信号を用いて、前記記録媒体に情報を記録する記録方法。
【請求項６】
請求項５に記載の記録方法であって、
前記同期パターンが、ピット列である記録方法。
【請求項７】
同期パターンが設けられた第１の層と、情報が記録された第２の層とを有する記録媒体の前記第１の層に第１のレーザ光を照射する第１の照射手段と、
前記第１の層での前記第１のレーザ光の反射光を検出し第１の電気信号に変換する第１の検出手段と、
前記第１の電気信号に基づき、情報の再生のために用いられるクロック信号を再生するクロック再生手段と
を具備する再生装置。
【請求項８】
請求項７に記載の再生装置であって、
前記第２の層には、記録マークが記録されており、
該再生装置は、
前記第２の層に前記第１のレーザ光と波長が異なる第２のレーザ光を照射する第２のレーザ照射手段と、
前記記録マークでの前記第２のレーザ光の反射光を検出し第２の電気信号に変換する第２の検出手段と、
前記クロック再生手段で再生されたクロック信号を用いて、前記第２の電気信号の二値データ化を行い情報を再生する情報再生手段と
を更に具備する再生装置。
【請求項９】
請求項７に記載の再生装置であって、
前記同期パターンが、ピット列である再生装置。
【請求項１０】
請求項８に記載の再生装置であって、
前記クロック再生手段で再生されたクロック信号と、前記第２の電気信号との位相差を検出し補正する補正手段を更に具備する再生装置。
【請求項１１】
請求項８に記載の再生装置であって、
前記第１の照射手段は、前記第１のレーザ光を前記第１の層に照射する再生装置。
【請求項１２】
同期パターンが設けられた第１の層と、情報が記録された第２の層とを有する記録媒体の前記第１の層に第１のレーザ光を照射し、
前記第１の層での前記第１のレーザ光の反射光を検出し第１の電気信号に変換し、
前記第１の電気信号に基づき、再生のために用いられるクロック信号を再生する再生方法。
【請求項１３】
情報が記録された第１の層と、
同期パターンを有し、前記同期パターンへのレーザ光の照射により、情報再生用のクロック信号を発生するために用いられる反射光を生成する第２の層と
を具備する記録媒体。
【発明の詳細な説明】
【技術分野】
【０００１】
本発明は、例えば情報を記録するためにクロック信号を再生する記録装置、記録方法、情報を再生するためにクロック信号を再生することが可能な再生装置、再生方法及び記録媒体に関する。
【背景技術】
【０００２】
従来、光ディスク（ＣＤやＤＶＤ）などを再生するとき、通常、再生装置に例えば再生用のレーザが１つしかない場合には、再生装置は、データを再生するときのクロックを再生信号から取り出す必要があった。このために、光ディスクの記録層には、データ信号を再生するための記録マークと、クロックを再生するためのマークとが記録されている（特許文献１参照。）。
【０００３】
また、マイクロリフレクター（Ｍｉｃｒｏ  Ｒｅｆｌｅｃｔｏｒ）用記録媒体では、トラッキングサーボなどの制御のために、例えば基準面上に予めグルーブが形成されている。
【特許文献１】特開２００７−１１５３３９号公報（段落［００１３］、［００９９］、図３）。
【発明の開示】
【発明が解決しようとする課題】
【０００４】
しかしながら、上記特許文献１の技術では、例えば光ディスクの記録密度が高いほど、クロックを再生するためのマークの周囲に記録されている記録マークで再生されるデータ信号などの干渉のため、同期信号が作りにくくなる。その結果、クロック信号が取り出せないときには、再生信号に連続エラーが発生するという問題がある。
【０００５】
以上のような事情に鑑み、本発明の目的は、情報を正確に記録するために正確なクロック信号を再生することが可能な記録装置、記録方法、情報を正確に再生するために正確なクロック信号を再生することが可能な再生装置、再生方法及び記録媒体を提供することにある。
【課題を解決するための手段】
【０００６】
上記課題を解決するために、本発明に係る記録装置は、同期パターンが設けられた第１の層と、情報が記録される第２の層とを有する記録媒体の前記第１の層に第１のレーザ光を照射する第１の照射手段と、前記第１の層での前記第１のレーザ光の反射光を検出し第１の電気信号に変換する第１の検出手段と、前記第１の電気信号に基づき、情報の記録のために用いられるクロック信号を再生するクロック再生手段と、前記クロック再生手段で再生されたクロック信号を用いて、前記記録媒体に情報を記録する情報記録手段とを具備する。
【０００７】
本発明では、同期パターンが設けられた第１の層と、情報が記録される第２の層とを有する記録媒体の前記第１の層に、第１の照射手段により第１のレーザ光を照射し、第１層での第１のレーザ光の反射光を第１の検出手段により検出し第１の電気信号に変換することができる。このため、第１のレーザ光の第１の層での反射光は、第２の層からの反射光とは別に再生される。この結果、第１のレーザ光の第１の層からの反射光から正確な第１の電気信号を第１の検出手段により生成することができる。従って、正確な第１の電気信号に基づき、クロック再生手段により情報の記録のために用いられるクロック信号を正確に再生することができる。この結果、情報記録手段によりクロック再生手段で再生されたクロック信号を用いて記録媒体に情報を正確に記録することができる。
【０００８】
前記同期パターンが、ピット列である。これにより、第１のレーザ光の第１の層の複数のピット列からの反射光を第１の検出手段により検出し第１の電気信号に変換することができる。
【０００９】
前記情報記録手段は、前記第１のレーザ光と波長が異なる第２のレーザ光を用いて前記記録媒体に情報を記録する。これにより、従来のように第１の照射手段により第１のレーザ光を第２の層に照射して第２の層からの反射光により第１の電気信号（同期信号）やデータ信号を再生する必要がない。すなわち、第２の層からのデータ信号とは別に、第１のレーザ光により第１の層からの反射光に基づき第１の電気信号（同期信号）を再生することができる。従って、正確な第１の電気信号（同期信号）を得ることができる。
【００１０】
前記第１の層に前記記録媒体のトラック情報、アドレス情報及びコンテンツ情報の少なくとも１つが記録されている。ここで、トラック情報とは、例えば記録媒体の複数のトラックを識別するために各トラックに付加された情報を含む。アドレス情報とは、例えば記録媒体に記録されるデータのアドレスを示す情報を含む。コンテンツ情報とは、例えば記録媒体に記録するコンテンツの映像及び音声の情報を含む。これにより、第１の層を例えば情報記憶領域として有効に用いることができ、例えば記録密度を向上させることができる。
【００１１】
本発明に係る記録方法は、同期パターンが設けられた第１の層と、情報が記録される第２の層とを有する記録媒体の前記第１の層に第１のレーザ光を照射し、前記第１の層での前記第１のレーザ光の反射光を検出し第１の電気信号に変換し、前記第１の電気信号に基づき、情報の記録のために用いられるクロック信号を再生し、前記再生されたクロック信号を用いて、前記記録媒体に情報を記録する。
【００１２】
本発明では、同期パターンが設けられた第１の層と、情報が記録される第２の層とを有する記録媒体の第１の層に第１のレーザ光を照射し、第１の層での第１のレーザ光の反射光を検出し第１の電気信号に変換することができる。このため、第１のレーザ光の第１の層での反射光は、第２の層からの反射光とは別に再生される。この結果、第１のレーザ光の第１の層からの反射光から正確な第１の電気信号を検出することができる。従って、正確な第１の電気信号に基づき、情報の記録のために用いられるクロック信号を正確に再生することができる。この結果、再生されたクロック信号を用いて記録媒体に情報を正確に記録することができる。
【００１３】
前記同期パターンが、ピット列である。これにより、第１のレーザ光の第１の層の複数のピット列からの反射光を検出し第１の電気信号に変換することができる。
【００１４】
本発明に係る再生装置は、同期パターンが設けられた第１の層と、情報が記録された第２の層とを有する記録媒体の前記第１の層に第１のレーザ光を照射する第１の照射手段と、前記第１の層での前記第１のレーザ光の反射光を検出し第１の電気信号に変換する第１の検出手段と、前記第１の電気信号に基づき、情報の再生のために用いられるクロック信号を再生するクロック再生手段とを具備する。
【００１５】
本発明では、同期パターンが設けられた第１の層と、情報が記録された第２の層とを有する記録媒体の前記第１の層に、第１の照射手段により第１のレーザ光を照射し、第１の層での第１のレーザ光の反射光を第１の検出手段により検出し第１の電気信号に変換することができる。このため、第１のレーザ光の第１の層での反射光は、第２の層からの反射光とは別に再生される。この結果、第１のレーザ光の第１の層からの反射光から正確な第１の電気信号を第１の検出手段により生成することができる。従って、正確な第１の電気信号に基づき、クロック再生手段により情報の再生のために用いられるクロック信号を正確に再生することができる。
【００１６】
前記第２の層には、記録マークが記録されており、該再生装置は、前記第２の層に前記第１のレーザ光と波長が異なる第２のレーザ光を照射する第２のレーザ照射手段と、前記記録マークでの前記第２のレーザ光の反射光を検出し第２の電気信号に変換する第２の検出手段と、前記クロック再生手段で再生されたクロック信号を用いて、前記第２の電気信号の二値データ化を行い情報を再生する情報再生手段とを更に具備する。
【００１７】
これにより、第２のレーザ照射手段により第２の層の記録マークに第２のレーザ光を照射し、記録マークでの第２のレーザ光の反射光を第２の検出手段により検出し第２の電気信号に変換し、情報再生手段によりクロック再生手段で再生されたクロック信号を用いて、第２の電気信号の二値データ化を行い情報を再生することができる。
【００１８】
前記同期パターンが、ピット列である。これにより、第１のレーザ光の第１の層の複数のピット列からの反射光を第１の検出手段により検出し第１の電気信号に変換することができる。
【００１９】
前記クロック再生手段で再生されたクロック信号と、前記第２の電気信号との位相差を検出し補正する補正手段を更に具備する。記録装置と再生装置との特性の違いによって（記録装置や再生装置に応じて）、クロック再生手段で再生されたクロック信号と、第２の電気信号との間に位相差が発生する可能性がある。本発明では、補正手段は、クロック再生手段で再生されたクロック信号と、第２の電気信号との位相差を検出し補正することができる。従って、再生装置は、正確な情報を再生することができる。
【００２０】
前記第１の照射手段は、前記第１のレーザ光を前記第１の層に照射する。これにより、従来のように第１の照射手段により第１のレーザ光を第２の層に照射して第２の層からの反射光により第１の電気信号（同期信号）やデータ信号を再生する必要がない。すなわち、第２の層からのデータ信号とは別に、第１のレーザ光により第１の層からの反射光に基づき第１の電気信号（同期信号）を再生することができる。従って、正確な第１の電気信号（同期信号）を得ることができる。
【００２１】
本発明に係る再生方法は、同期パターンが設けられた第１の層と、情報が記録された第２の層とを有する記録媒体の前記第１の層に第１のレーザ光を照射し、前記第１の層での前記第１のレーザ光の反射光を検出し第１の電気信号に変換し、前記第１の電気信号に基づき、再生のために用いられるクロック信号を再生する。
【００２２】
本発明では、同期パターンが設けられた第１の層と、情報が記録された第２の層とを有する記録媒体の第１の層に、第１のレーザ光を照射し、第１の層での第１のレーザ光の反射光を検出し第１の電気信号に変換することができる。このため、第１のレーザ光の第１の層での反射光は、第２の層からの反射光とは別に再生される。この結果、第１のレーザ光の第１の層からの反射光から正確な第１の電気信号を検出することができる。従って、正確な第１の電気信号に基づき、情報の再生のために用いられるクロック信号を正確に再生することができる。
【００２３】
本発明に係る記録媒体は、情報が記録された第１の層と、同期パターンを有し、前記同期パターンへのレーザ光の照射により、情報再生用のクロック信号を発生するために用いられる反射光を生成する第２の層とを具備する。
【００２４】
本発明では、同期パターンを有する第２の層にレーザ光が照射されると、反射光が生成される。この反射光を用いて、第１の層に記録された情報の再生のためのクロック信号を正確に再生することができる。
【発明の効果】
【００２５】
以上のように、本発明によれば、情報を正確に記録するために正確なクロック信号を再生することができる。
【発明を実施するための最良の形態】
【００２６】
以下、本発明の実施の形態を図面に基づき説明する。  
（第１の実施の形態）  
図１は本発明の一実施形態に係る記録装置のブロック図である。
【００２７】
記録装置１は、同図に示すように、制御部２、駆動制御部３、信号処理部４、スピンドルモータ５、スレッドモータ６及び光ピックアップ７を備えている。
【００２８】
制御部２は、光ディスク１０が装填された状態で、図示しない外部機器から記録（再生）命令及び記録（再生）アドレス情報を受け取り、駆動制御部３に対して駆動命令を供給すると共に、記録（再生）命令を信号処理部４に供給する。
【００２９】
駆動制御部３は、駆動命令に従い、スピンドルモータ５を駆動制御することにより光ディスク１０を所定の回転速度で回転させる。駆動制御部３は、駆動命令に従い、スレッドモータ６を駆動制御する。これにより、光ピックアップ７を移動軸８に沿ってアドレス情報に対応した位置に移動させる。
【００３０】
信号処理部４は、記録時には、例えば記録信号を生成し、光ピックアップ７に出力する。信号処理部４は、再生時には、光ピックアップ７が光ディスク１０から読み取った信号に対して復調処理等を施すことにより再生信号を生成し、この再生信号を制御部２に供給する。
【００３１】
光ピックアップ７は、例えば光ディスク１０に対して一面側から焦点を合わせて光を照射するために、移動軸８に設けられている。
【００３２】
図２は記録装置１の光ピックアップ７の構成を示すブロック図である。  
同図に示すように、記録装置１の光ピックアップ７は、情報光学系１１と、サーボ光学系１２と、例えばサーボ光学系１２からのＲＦ信号の処理を実行する記録データ出力部１３とを備えている。
【００３３】
情報光学系１１は、レーザダイオード１５、集光レンズ１６、偏光板１７、ビームスプリッタ１８、偏光板１９、リレーレンズ２０、ダイクロイックプリズム２１、対物レンズ２２、対物レンズアクチュエータ２３、集光レンズ２４及びフォトディテクタ２５を備えている。
【００３４】
レーザダイオード１５は、例えば波長約４０５ｎｍの発散光である所定光量の青色レーザ光Ｌｂを集光レンズ１６に向けて照射する。
【００３５】
集光レンズ１６は、青色レーザ光Ｌｂを発散光から平行光に変換し、平行光を偏光板１７に入射させる。
【００３６】
偏光板１７は、集光レンズ１６から入射した青色レーザ光Ｌｂの特定の偏向成分を透過する。
【００３７】
ビームスプリッタ１８は、偏光板１７を透過した青色レーザ光Ｌｂを偏光板１９に入射させる。
【００３８】
偏光板１９は、ビームスプリッタ１８からの青色レーザ光Ｌｂをリレーレンズ２０に入射させる。
【００３９】
リレーレンズ２０は、偏光板１９からの青色レーザ光Ｌｂの光路を調整し、ダイクロイックプリズム２１に入射させる。リレーレンズ２０は、集光レンズ２０ａ、集光レンズアクチュエータ２０ｂ及びレンズ２０ｃを備えている。集光レンズアクチュエータ２０ｂにより集光レンズ２０ａの位置を調整される。
【００４０】
ダイクロイックプリズム２１は、入射した青色レーザ光Ｌｂを対物レンズ２２に向けて反射する。
【００４１】
対物レンズ２２は、ダイクロイックプリズム２１で反射した青色レーザ光Ｌｂを集光し、光ディスク１０の記録層５１に入射させる。
【００４２】
光ディスク１０の記録層５１の後述する記録マークで生成された戻り光は、対物レンズ２２、ダイクロイックプリズム２１、リレーレンズ２０等を通過しビームスプリッタ１８に入射する。
【００４３】
ビームスプリッタ１８は、この青色レーザ光Ｌｂを反射面において集光レンズ２４に向けて反射し、集光レンズ２４に入射させる。
【００４４】
集光レンズ２４は、入射した青色レーザ光Ｌｂを集光し、フォトディテクタ２５に照射する。
【００４５】
フォトディテクタ２５は、集光レンズ２４で集光された青色レーザ光Ｌｂを受光し電気信号に変換し外部に出力する。
【００４６】
サーボ光学系１２は、レーザダイオード３１、コリメータレンズ３２、ビームスプリッタ３３、ダイクロイックプリズム２１、対物レンズ２２、対物レンズアクチュエータ２３、集光レンズ３４及びフォトディテクタ３５を備えている。なお、例えばダイクロイックプリズム２１、対物レンズ２２及び対物レンズアクチュエータ２３は、情報光学系１１及びサーボ光学系１２で共用されている。
【００４７】
レーザダイオード３１は、図２に示すように、波長約６６０ｎｍの発散光である所定光量の赤色レーザ光Ｌｒをコリメータレンズ３２に向けて照射する。
【００４８】
コリメータレンズ３２は、赤色レーザ光Ｌｒを発散光から平行光に変換し、ビームスプリッタ３３に入射させる。
【００４９】
ビームスプリッタ３３は、入射した赤色レーザ光Ｌｒをダイクロイックプリズム２１に入射させる。ダイクロイックプリズム２１に入射した赤色レーザ光Ｌｒは、ダイクロイックプリズム２１を通過し対物レンズ２２に入射する。
【００５０】
そして、対物レンズ２２は、赤色レーザ光Ｌｒを集光し、光ディスク１０に向けて照射する。このとき、赤色レーザ光Ｌｒは、光ディスク１０の同期パターンが形成された層（基準面）Ｒに照射される。この後、層（基準面）Ｒで反射された赤色レーザ光Ｌｒは、対物レンズ２２を通過した後、ダイクロイックプリズム２１を通過し、ビームスプリッタ３３の反射面で反射され、集光レンズ３４に入射する。
【００５１】
集光レンズ３４は、入射した赤色レーザ光Ｌｒに非点収差を持たせた上でフォトディテクタ３５に集光する。
【００５２】
フォトディテクタ３５は、入射した赤色レーザ光Ｌｒを電気信号に変換し記録データ出力部１３に出力する。
【００５３】
記録装置１では、例えば赤色レーザ光Ｌｒや青色レーザ光Ｌｂの焦点が光ディスク１０に対して接近又は離れる方向であるフォーカス方向にずれることがある。赤色レーザ光Ｌｒや青色レーザ光Ｌｂを目標のフォーカス位置に追従させるためには、焦点をフォーカス方向に移動させる必要がある。そこで、例えば対物レンズ２２は、対物レンズアクチュエータ２３によりフォーカス方向に駆動されるようになっている。また、集光レンズ２０ａは、集光レンズアクチュエータ２０ｂによりフォーカス方向に駆動されるようになっている。
【００５４】
図３は、記録データ出力部１３の構成を示すブロック図である。  
記録データ出力部１３は、イコライザ４１、位相同期回路（ＰＬＬ  Ｐｈａｓｅ  Ｒｏｃｋｅｄ  Ｌｏｏｐ）４２及びデータバッファ４３を備えている。
【００５５】
イコライザ４１はフォトディテクタ３５からの電気信号の波形等化を行い、位相同期回路４２に出力する。
【００５６】
位相同期回路４２は、イコライザ４１から入力された信号に基づき、クロック信号を再生し、このクロック信号をデータバッファ４３に出力する。
【００５７】
この位相同期回路４２は、例えば位相検出器４５、ループフィルタ４６、電圧制御発振器（ＶＣＯ  Ｖｏｌｔａｇｅ  Ｃｏｎｔｒｏｌｅｄ  Ｏｓｃｌａｔｏｒ）４７、Ｎ分周器４８を備えている。
【００５８】
位相検出器４５は、イコライザ４１から入力された信号と、電圧制御発振器４７から出力されＮ分周器４８で分周された信号との位相差を比較し、位相差に応じた位相差信号をループフィルタ４６に出力する。ループフィルタ４６は、位相差信号の高周波成分を除去し位相差信号に応じた制御電圧を電圧制御発振器４７に出力する。電圧制御発振器４７は、入力された制御電圧に応じたクロック信号を、データバッファ４３と、Ｎ分周器４８とに発振する。Ｎ分周器４８は、電圧制御発振器４７から発振されたクロック信号の周波数を分周し、同期信号を、位相検出器４５に出力する。
【００５９】
これにより、位相同期回路４２は、フォトディテクタ３５からの電気信号（赤信号）に基づき、クロック信号を生成している。
【００６０】
データバッファ４３は、変調された記録データのバッファ（ＦＩＦＯ  Ｄａｔａ  Ｂｕｆｆｅｒ）である。データバッファ４３は、電圧制御発振器４７から出力されたクロック信号を用いて、データバッファ４３に入力された記録データからクロック信号に同期した二値データを読み出し青色レーザドライバ４４に出力する。
【００６１】
青色レーザドライバ４４は、図２、図３に示すように記録データ出力部１３（データバッファ４３）から出力された二値データに基づき、レーザダイオード１５の青色レーザ光のパワーを制御する。
【００６２】
図４は、光ディスク１０の部分断面図である。  
光ディスク１０は、例えば中央部に図示しない孔部が形成された直径約１２０ｍｍの円盤形状を有している。光ディスク１０は、例えばマイクロリフレクター用記録媒体である。なお、図４に示すＸ方向は、光ディスク１０の半径方向である。
【００６３】
光ディスク１０は、基板５０、情報を記録するための記録層５１、５２、５３、、、及び保護膜５４が積層されて構成されている。基板５０と記録層５１との間には層（基準面）Ｒが設けられている。
【００６４】
層（基準面）Ｒは、例えば誘電体多層膜などであり、波長４０５ｎｍの青色レーザ光Ｌｂを透過すると共に波長６６０ｎｍの赤色レーザ光Ｌｒを所定の割合で反射する。層（基準面）Ｒは、例えばスパッタリング等により形成されている。層（基準面）Ｒには、赤色レーザ光Ｌｒが照射される同期パターンとしてのピットＰ１、Ｐ２、Ｐ３、、、が列となって形成されている。ピットＰ１、Ｐ２、、、は、例えばそれぞれ青色レーザ光Ｌｂの連続した４スポット光に対応する長さを有している。つまり、ピットＰ１、Ｐ２、、、は、４Ｔマークである。例えばピットＰ１とピットＰ２との間の溝でない部分も４スポット光に対応する長さを有している。つまり、層（基準面）Ｒには、例えば４Ｔ−４Ｔマーク等が形成されている。
【００６５】
基板５０は、例えばポリカーボネートやガラス等の材料により構成されている。基板５０は、一面側から他面側に入射する光を高い透過率で透過させる。また、基板５０は、記録層５１、５２、５３、、、を保護するために必要な強度を有している。
【００６６】
記録層５１、５２、５３、、、は、その厚さ方向（Ｚ方向）に設けられている。記録層５１、５２、５３、、、の構成材料には、例えばフォトポリマなどが用いられている。各記録層５１、５２、５３、、、の記録マーク（例えばボイド）の有無により、２値データのいずれか、すなわち「０」か「１」かを表している。
【００６７】
保護膜５４は、例えば記録層５１、５２、、、の外側に配置され、記録層５１、５２、、、を保護している。
【００６８】
次に、記録装置１を用いた光ディスク１０の記録動作について説明する。  
図５は、記録装置１での記録動作を示すフローチャートである。  
記録装置１の制御部は、レーザダイオード３１に赤色レーザ光Ｌｒを射出させる（ＳＴ５０１）。
【００６９】
これにより、図２に示すように、レーザダイオード３１から射出した赤色レーザ光Ｌｒは、コリメータレンズ３２により平行光に変換され、ビームスプリッタ３３、ダイクロイックプリズム２１を通過し、対物レンズ２２で集光されて、例えば図４に示す層（基準面）ＲのピットＰ１等に照射される。ピットＰ１等で反射した赤色レーザ光Ｌｒは、対物レンズ２２、ダイクロイックプリズム２１を通過し、ビームスプリッタ３３で反射し、集光レンズ３４で集光され、フォトディテクタ３５に入射する。フォトディテクタ３５に入射した赤色レーザ光Ｌｒは、フォトディテクタ３５により、電気信号に変換され（ＳＴ５０２）、記録データ出力部１３に出力される。
【００７０】
図３に示すように、イコライザ４１は、フォトディテクタ３５からの電気信号の波形等化を行い、位相同期回路４２に出力する。位相同期回路４２は、イコライザ４１から入力された信号に基づき、クロック信号を再生し（ＳＴ５０３）、データバッファ４３に出力する。
【００７１】
このときの位相同期回路４２内の動作について説明する。位相検出器４５は、イコライザ４１から入力された信号と、電圧制御発振器４７から出力されＮ分周器４８で分周された信号との位相差を比較し、位相差に応じた位相差信号をループフィルタ４６に出力する。ループフィルタ４６は、位相差信号の高周波成分を除去し位相差信号に応じた制御電圧を電圧制御発振器４７に出力する。電圧制御発振器４７は、入力された制御電圧に応じたクロック信号を、データバッファ４３と、Ｎ分周器４８とに発振する。Ｎ分周器４８は、電圧制御発振器４７から発振されたクロック信号の周波数を分周し、同期信号を、位相検出器４５に出力する。
【００７２】
これにより、位相同期回路４２は、フォトディテクタ３５からの電気信号（赤信号）に基づきイコライザ４１で生成された信号に基づき、クロック信号を再生し（ＳＴ５０３）、データバッファ４３に出力している。
【００７３】
続いて、データバッファ４３は、電圧制御発振器４７から出力されたクロック信号を用いて、データバッファ４３に入力された記録データからクロック信号に同期して二値データを読み出し青色レーザドライバ４４に出力する（ＳＴ５０４）。
【００７４】
青色レーザドライバ４４は、記録データ出力部１３から出力された二値データに基づき、レーザダイオード１５の青色レーザ光のパワーを制御する。これにより、記録用の青色レーザ光がレーザダイオード１５から射出される（ＳＴ５０５）。
【００７５】
レーザダイオード１５から射出された青色レーザ光Ｌｂは、集光レンズ１６により平行光に変換され、青色レーザ光Ｌｂのうち特定の偏光成分が偏光板１７を通過し、ビームスプリッタ１８に入射する。ビームスプリッタ１８に入射した青色レーザ光Ｌｂは、ビームスプリッタ１８、リレーレンズ２０等を通過し、ダイクロイックプリズム２１で反射し、対物レンズ２２で集光されて、例えば図４に示す記録層５１に照射される。これにより、光ディスク１０の例えば記録層５１等に記録マークが形成されデータが記録される（ＳＴ５０６）。
【００７６】
このように本実施形態によれば、記録装置１は、光ディスク１０の層（基準面）Ｒに、赤色レーザ光Ｌｒを照射し（ＳＴ５０１）、層（基準面）Ｒでの赤色レーザ光Ｌｒの反射光をフォトディテクタ３５により電気信号に変換し、記録データ出力部１３に出力することができる。このため、赤色レーザ光Ｌｒの層（基準面）Ｒでの反射光は、記録層５１等からの反射光とは別に再生される。この結果、赤色レーザ光Ｌｒの層（基準面）Ｒからの反射光から正確な電気信号をフォトディテクタ３５により生成することができる。従って、正確な電気信号に基づき、位相同期回路４２により情報の記録のために用いられるクロック信号を正確に再生することができる（ＳＴ５０３）。
【００７７】
この結果、データバッファ４３により、電圧制御発振器４７から出力されたこの正確なクロック信号を用いて、データバッファ４３に入力された記録データからクロック信号に同期して二値データを読み出し青色レーザドライバ４４に出力することができる（ＳＴ５０４）。青色レーザドライバ４４により、記録データ出力部１３から出力された二値データに基づき、レーザダイオード１５の青色レーザ光のパワーを制御し、レーザダイオード１５から記録用の青色レーザ光を射出することができる（ＳＴ５０５）。これにより、光ディスク１０の例えば記録層５１等に記録マークを正確に記録することができる（ＳＴ５０６）。
【００７８】
（第２の実施の形態）  
次に、第２の実施の形態の再生装置について説明する。なお、本実施形態以降においては、上記第１の実施の形態と同一の構成部材等には同一の符号を付しその説明を省略し異なる箇所を中心的に説明する。
【００７９】
図６は、本発明に係る第２の実施形態の再生装置の光学系の構成を示す図、図７は、再生装置の信号処理部の構成を示すブロック図、図８は信号処理部で処理される信号の波形を示す図である。  
図６に示すように、本実施形態の再生装置１´は、図２に示す記録データ出力部１３の代わりに赤信号及び青信号の処理を実行する信号処理部６０を備えている点が異なる。なお、再生装置１´が、記録データ出力部１３を備えていてもよい。
【００８０】
信号処理部６０は、記録データ出力部１３に比べて、図３に示すデータバッファ４３を備える代わりに図７に示すイコライザ６１及びデータ再生部６２を備えている点が異なる。
【００８１】
イコライザ６１は、フォトディテクタ２５からの電気信号の波形等化を行い図８（Ａ）に示す同期信号をデータ再生部６２に出力する。
【００８２】
データ再生部６２は、電圧制御発振器４７から出力された図８（Ｂ）に示すクロック信号を用いて、図８（Ｃ）に示すＲＦ信号に基づくイコライザ６１からの信号から青色レーザ光Ｌｂのパターン信号（データ信号）を再生し、この再生用のデータ信号を出力する。
【００８３】
図９は、信号処理部６０での再生動作を示すフローチャートである。  
同図に示すように、再生装置１´の制御部は、レーザダイオード３１に赤色レーザ光Ｌｒを射出させると共に、レーザダイオード１５に青色レーザ光Ｌｂを射出させる（ＳＴ９０１）。
【００８４】
これにより、上記第１の実施形態と同様に、レーザダイオード３１から射出した赤色レーザ光Ｌｒは、コリメータレンズ３２により平行光に変換されるなどして例えば図６に示す層（基準面）Ｒのピット等に照射される。層（基準面）Ｒのピット等で反射した赤色レーザ光Ｌｒは、対物レンズ２２を通過するなどしてフォトディテクタ３５に入射する。フォトディテクタ３５に入射した赤色レーザ光Ｌｒは、フォトディテクタ３５により、電気信号（赤信号）に変換される（ＳＴ９０２）。この電気信号（赤信号）は、フォトディテクタ３５から信号処理部６０に出力される。
【００８５】
一方、レーザダイオード１５から射出された青色レーザ光Ｌｂは、集光レンズ１６により平行光に変換される等して、例えば図６に示す記録層５１等に照射される。これにより、光ディスク１０の例えば記録層５１等の記録マークからの反射光である戻り光が生成される。この戻り光（反射光）は、対物レンズ２２、ダイクロイックプリズム２１、リレーレンズ２０等を通過しビームスプリッタ１８に入射する。
【００８６】
この青色レーザ光Ｌｂは、ビームスプリッタ１８の反射面において集光レンズ２４に向けて反射し、集光レンズ２４に入射する。入射した青色レーザ光Ｌｂは、集光レンズ２４で集光され、フォトディテクタ２５に照射される。フォトディテクタ２５に照射された青色レーザ光Ｌｂは、フォトディテクタ２５によりＲＦ信号（青信号）に光電変換され（ＳＴ９０２）、信号処理部６０に出力される。
【００８７】
図７に示すように、イコライザ４１は、フォトディテクタ３５からのＲＦ信号（青信号）の波形等化を行い、位相同期回路４２に出力する。位相同期回路４２は、イコライザ４１から入力された図８（Ａ）に示す同期信号に基づき、図８（Ｂ）に示すクロック信号を再生し（ＳＴ９０３）、データ再生部６２に出力する。
【００８８】
一方、イコライザ６１は、図７に示すように、フォトディテクタ２５からの青信号の波形等化を行いデータ再生部６２に出力する。
【００８９】
データ再生部６２は、電圧制御発振器４７から出力された図８（Ｂ）に示すクロック信号を用いて、図８（Ｃ）に示すＲＦ信号に基づくイコライザ６１からのデータ信号から青色レーザ光Ｌｂのパターン信号（データ信号）を再生し、この再生用のデータ信号を出力する（ＳＴ９０４）。
【００９０】
このように本実施形態によれば、同期パターンであるピットＰ１、Ｐ２、、、が設けられた層（基準面）Ｒと、情報が記録された記録層５１等とを有する光ディスク１０の層（基準面）Ｒに、レーザダイオード３１などにより赤色レーザ光Ｌｒを照射し、層（基準面）Ｒでの赤色レーザ光Ｌｒの反射光をフォトディテクタ３５により検出し電気信号に変換することができる。このため、赤色レーザ光Ｌｒの層（基準面）Ｒでの反射光は、記録層５１等からの反射光とは別に再生される。この結果、赤色レーザ光Ｌｒの層（基準面）Ｒからの反射光から正確な電気信号（赤信号）をフォトディテクタ３５により生成することができる。
【００９１】
これに対して、従来では、クロック信号を生成するための同期パターン及びデータ信号とが記録された記録層に、赤色レーザ光を照射し、反射光をフォトディテクタで光電変換し、電気信号から同期信号を取り出している。この場合には、データの記録密度が高いほど同期信号とデータ信号との干渉が発生し易く、この電気信号から正確な同期信号を取り出すことが難しかった。
【００９２】
従って、正確な電気信号（赤信号）に基づく図８（Ａ）に示す同期信号に基づき、位相同期回路４２等により図８（Ｂ）に示すクロック信号を正確に再生することができる。この結果、データ再生部６２により、図８（Ｃ）に示すＲＦ信号に基づくイコライザ６１からの信号から、図８（Ｂ）に示すクロック信号に同期して青色レーザ光Ｌｂのパターン信号（データ信号）を再生し、正確な再生用のデータ信号を出力することができる。
【００９３】
以上のように、本実施形態では、マイクロリフレクター用記録媒体に特有のバーチャルマルチレイヤ（Ｖｉｒｔｕｒａｌ  Ｍｕｌｔｉ  Ｌａｙｅｒ）構造を利用して、層（基準面）Ｒに予め一定の周波数を再生するための同期パターンであるピットＰ１等を記録しておく。そして、ピットＰ１等からの反射光からフォトディテクタ３５や位相同期回路４２を用いて再生用のクロック信号を正確に再生し、情報の再生時にクロック信号として用いることができる。
【００９４】
（第３の実施の形態）  
次に、第３の実施の形態の再生装置について説明する。  
図１０は、第３の実施形態の信号処理部の構成を示すブロック図、図１１は図１０に示す信号処理部で用いられる信号の波形を示す図である。  
本実施形態の信号処理部６０´は、図７に示す信号処理部６０の代わりに用いられる。
【００９５】
信号処理部６０´は、図７に示す信号処理部６０に比べて、特定パターン検出部７０と、エッジ検出部７１と、位相差検出部７２とを更に備えている点が異なる。
【００９６】
特定パターン検出部７０は、データ再生部６２からの再生データに基づき、例えば記録層５１に記録されている４Ｔ−４Ｔマークなどからの図１１（Ｂ）に示す特定パターン信号の立ち上がりの位相を検出し、この位相を示す信号を位相差検出部７２に出力する。４Ｔ−４Ｔの特定パターンは、例えばデータトラックの先頭に記録されている。
【００９７】
エッジ検出部７１は、Ｎ分周器４８からの図１１（Ａ）に示す同期信号の立ち上がりのエッジ（位相）を検出し、この位相を示す信号を位相差検出部７２に出力する。
【００９８】
位相差検出部７２は、図１１（Ｂ）に示す４Ｔ−４Ｔマーク等の特定パターン信号の立ち上がりの位相と、Ｎ分周器４８から出力された図１１（Ａ）に示す同期信号の立ち上がりの位相との信号が入力される。位相差検出部７２は、この二つの位相の位相差Δθを検出し、この位相差Δθに基づき、位相差Δθを補正するための補正信号を例えば図２に示す青色レーザドライバ４４に出力する。
【００９９】
図１２（Ａ）は再生時の記録層５１等から再生された青色信号（及びクロック信号）の波形であり、図１２（Ｂ）は層（基準面）Ｒからの同期信号の波形を示す図である。  
同図に示すように、再生装置１´を用いて光ディスク１０の情報を再生するときには、Ｎ分周器４８からの出力された図１２（Ｂ）に示す同期信号の立ち下がりの位相と、記録層５１等で再生された図１２（Ａ）に示す青色信号（又はクロック信号）の立ち上がりの位相との間に位相差Δθ１が発生する可能性がある。
【０１００】
図１３（Ａ）は再生時の記録層５１等から再生された青色信号（及びクロック信号）の波形であり、図１３（Ｂ）は層（基準面）Ｒからの同期信号との波形を示す図である。  
同図に示すように、再生装置１´を用いて光ディスク１０の情報を再生するときには、Ｎ分周器４８からの出力された図１３（Ｂ）に示す同期信号の立ち下がりの位相と、記録層５１等から再生された図１３（Ａ）に示す青色信号（又はクロック信号）の立ち上がりの位相との間に位相差Δθ２が発生する可能性がある。
【０１０１】
これらの位相差Δθ１、Δθ２は、記録装置１と、再生装置１´との特性の違いによって発生する。
【０１０２】
本実施形態では、位相差Δθ１、Δθ２が発生しても、位相差検出部７２は、図１１（Ｂ）に示す特定パターン信号（データ信号）の立ち上がりと、Ｎ分周器４８から出力された図１１（Ａ）に示す同期信号の立ち上がりとの位相差Δθを検出することができる。位相差検出回路７２は、この位相差Δθに基づき、位相差Δθを補正するための補正信号を図２に示す青色レーザドライバ４４に出力する。この結果、再生装置１´により、位相差Δθのない、より正確な再生信号を得ることができる。
【０１０３】
この位相差Δθの補正は、情報を連続して再生（又は記録）する間は、常に一定となる。従って、例えは、情報を再生するときには、再生開始時に一度位相差Δθの補正を実行するようにすればよい。
【０１０４】
本発明は以上説明した実施の形態には限定されるものではなく、種々の変形が可能である。
【０１０５】
上記実施形態では、層（基準面）Ｒに光ディスク１０の同期パターンであるピットＰ１、Ｐ２、、、の列が形成されている例を示した。しかし、これに限定されず、例えば層（基準面）Ｒに、これらのピットＰ１、Ｐ２、、、、の列の他に、例えば従来のＲＯＭ型のようにトラック情報、アドレス情報及びコンテンツ情報等を記録するようにしてもよい。これにより、層（基準面）Ｒを記録層としても用いることができるので、光ディスク１０の記憶容量を増加させることができる。
【０１０６】
上記実施形態では、ピットＰ１、Ｐ２、、、が４Ｔ−４Ｔマークである例を示した。しかし、マークの形状（長さ）はこれに限定されない。例えば７Ｔ−７Ｔマーク等他のマークでもよい。
【０１０７】
上記実施形態では、光ディスク１０の層（基準面）Ｒに形成されたピットＰ１、Ｐ２、、、により、同期信号（クロック信号）を得る例を示した。しかし、これに限定されず、例えばグルーブの蛇行やピット列の蛇行（ウォブリング）によりクロック情報を記録、再生してもよい。
【図面の簡単な説明】
【０１０８】
【図１】本発明の一実施形態に係る記録装置のブロック図である。
【図２】記録装置の光ピックアップの構成を示すブロック図である。
【図３】記録データ出力部の構成を示すブロック図である。
【図４】光ディスクの部分断面図である。
【図５】記録装置での記録動作を示すフローチャートである。
【図６】本発明に係る第２の実施形態の再生装置の光学系の構成を示す図である。
【図７】再生装置の信号処理部の構成を示すブロック図である。
【図８】信号処理部で処理される信号の波形を示す図である。
【図９】信号処理部での再生動作を示すフローチャートである。
【図１０】第３の実施形態の信号処理部の構成を示すブロック図である。
【図１１】図１０に示す信号処理部で用いられる信号の波形を示す図である。
【図１２】再生時の記録層から再生された青色信号（及びクロック信号）及び層（基準面）からの同期信号の波形を示す図である。
【図１３】再生時の記録層から再生された青色信号（及びクロック信号）及び層（基準面）からの同期信号の波形を示す図である。
【符号の説明】
【０１０９】
Ｌｂ  青色レーザ光
Ｌｒ  赤色レーザ光
Ｒ  層（基準面）
１  記録装置
１´  再生装置
２  制御部
１０  光ディスク
１１  情報光学系
１２  サーボ光学系
１３  記録データ出力部
１５、３１  レーザダイオード
１６  集光レンズ
２５、３５  フォトディテクタ
４２  位相同期回路
４３  データバッファ
４４  青色レーザドライバ
４５  位相検出器
４６  ループフィルタ
４７  電圧制御発振器
４８  Ｎ分周器
５１、５２、５３  記録層
６０、６０´  信号処理部
６２  データ再生部
７０  特定パターン検出部
７１  エッジ検出部
７２  位相差検出部
【図１】
2009277310.tif 000003
【図２】
2009277310.tif 000004
【図３】
2009277310.tif 000005
【図４】
2009277310.tif 000006
【図５】
2009277310.tif 000007
【図６】
2009277310.tif 000008
【図７】
2009277310.tif 000009
【図８】
2009277310.tif 000010
【図９】
2009277310.tif 000011
【図１０】
2009277310.tif 000012
【図１１】
2009277310.tif 000013
【図１２】
2009277310.tif 000014
【図１３】
2009277310.tif 000015